(57)【要約】【課題】設置コストが安価であり，設置場所をほとんど必要としない折り畳み式の階段を提供する。【解決手段】家屋内の側壁面１に昇降用ステップ２を構成する複数の踏み板３を，水平方向には相互に重ならないように，かつ，垂直方向には相互に段差を生ずるように配置してなり，前記踏み板３の一端を前記側壁面１とヒンジ４を介して接合されることを特徴とする折り畳み式の階段。【選択図】図１
2009235816.tif 000002
【特許請求の範囲】
【請求項１】
家屋内の側壁面に，昇降用ステップを構成する複数の踏み板を，水平方向には相互に重ならないように，かつ，垂直方向には相互に段差を生ずるように配置してなり，
前記踏み板の一端を前記側壁面とヒンジを介して接合されることを特徴とする折り畳み式の階段。
【請求項２】
請求項１の折り畳み式の階段であり，
前記踏み板には，一端にストッパーを有する前記踏み板の支持アーム及び前記ストッパーが滑動可能に収納されるとともに前記ストッパーの係止部を前記ヒンジと対向する方向の一端に有するガイドを備え，
前記側壁面に設置された支持部にて前記アームの他の一端を回動可能となるように接合することを特徴とする，折り畳み式の階段。
【請求項３】
請求項１の折り畳み式の階段であり，
前記ヒンジと対向する方向の前記踏み板の一端にて回転可能となるように接合されるとともに前記接合される部分とは別の一端にストッパーを有する前記踏み板の支持アームを備え，
前記側壁面に前記ストッパーが滑動可能に収納されるとともに下端に前記ストッパーの係止部を有するガイドを備えたことを特徴とする，折り畳み式の階段。
【請求項４】
請求項１から３の折り畳み式の階段であり，
前記ヒンジと対向する方向の前記踏み板の一端にて，前記ヒンジとは別のヒンジを介して一又は複数の前記踏み板と手すり部を接合することを特徴とする，折り畳み式の階段。
【請求項５】
家屋内の側壁面に昇降用ステップを構成する複数の踏み板を，水平方向には相互に重ならないように，かつ，垂直方向には相互に段差を生ずるように配置してなり，
前記踏み板は，前記側壁面に脱離可能に長手方向を概垂直として掛止又は嵌設され，
前記側壁面には，側壁面から脱離した前記踏み板を長手方向に概水平に嵌入する溝を備え，
階段を利用するときは，前記側壁面から前記踏み板を脱離し，前記溝に嵌入することで前記昇降用ステップを構成することを特徴とする組み立て式の階段。
【請求項６】
前記側壁面と相対峙する第二の側壁面上に前記踏み板の他端を支えるために設けた係止部とからなることを特徴とする請求項１から５の折り畳み式又は組み立て式の階段。
【発明の詳細な説明】
【技術分野】
【０００１】
本発明は，通常時（非利用時）には場所をとらず，必要時（利用時）には簡便に設置，利用できる屋内用の折り畳み式又は組み立て式の階段に関する。
【背景技術】
【０００２】
非常時に利用する階段としては屋外に設置されるものが主流であり，緊急時に展開して高層ビルの各階の間を結ぶ非常階段となり，折り畳んでベランダなどに収容しておくことのできる考案が開示されている（特許文献１）。この考案は，複数の保護欄干および連接レバーからなるリンク機構により非常ハシゴを構成するもので，使用時には自重により一つの階のベランダから下の階のベランダで展開し，収容時には，連接レバーの先端部をワイヤーロープで引っ張ることにより折り畳むことができる。
【特許文献１】実開平８−１４９８号公報
【０００３】
また，建築物に付属して建てられる組立式の階段として，非常階段や建物の建設とは別に建物が建設された後でも自由に設置でき，工場において最小単位にユニット化された部品を施工現場で組上げを行う考案が開示されている（特許文献２）。
この考案は，略垂直に１本の柱を立設し，この柱に挿入される取付孔を有した筒状体の外側面に踏み板が片持梁状に突設された階段ユニットおよび踊り場ユニットを位置決め手段を介して柱を中心に螺旋状に積み重ねて組み立てを行う構成である。
【特許文献２】登録実用新案第３０３４２３６号公報
【０００４】
更にまた，コストがかからず，常時は列車や自動車の走行に邪魔にならない高所に配装し，非常に引き下ろして使用する折畳み非常階段が開示されている（特許文献３）。この発明は，高所に立設した固定柱と，該固定柱の上端部に一端部を低所方向にのみ屈曲可能に装着した可動柱と，該可動柱の他端部に一端部を低所方向に屈曲可能に装着した階段部と，固定柱の立設箇所よりも低所側の同高位置に立設し，かつ上端部においては前記可動柱に該可動柱の両装着点の間において装着したガススプリングとを備えていることを特徴とするものである。
【特許文献３】特開２００３−３０１６８０号公報
【発明の開示】
【発明が解決しようとする課題】
【０００５】
しかしながら，特許文献１に記載の考案では，非常階段の本体を設置する空間が必要であるため，室内用に用いるには不適であり，特許文献２に記載の考案では，設置コストがかかり，またこの発明を屋内で実施するには設置場所が狭いため，室内用の非常階段とすることには適さない。特許文献３に記載された折畳み非常階段は，高所に配装され，非常に引き下ろして使用するものであるため，非常階段本体を設置するのにかなりの場所を必要とするという問題点がある。
【０００６】
本発明は，設置コストが安価であり，設置場所をほとんど必要としない屋内用の折り畳み式又は組み立て式の階段を提供することを目的としている。
【課題を解決するための手段】
【０００７】
上記目的を達成するために，本願で開示する第１の発明は，家屋内の側壁面に昇降用ステップを構成する複数の踏み板を，水平方向には相互に重ならないように，かつ，垂直方向には相互に段差を生ずるように配置してなる階段であり，前記踏み板の一端を前記側壁面とヒンジを介して接合し，折り畳めることを特徴とするものである。
【０００８】
開示する第２の発明は，第１の発明に要素を付加したものであり，前記踏み板には，支持アームとガイドを備え，前記支持アームはその一端にストッパーを有しており，また，前記ガイドは前記ストッパーが滑動可能に収納されるとともに前記ヒンジと対向する方向の一端に前記ストッパーの係止部を有しており，前記側壁面に設置された支持部にて前記アームの他の一端を回動可能となるように接合することを特徴とする折り畳み式の階段である。
【０００９】
開示する第３の発明も，第１の発明に要素を付加したものであり，前記踏み板は支持アームを備え，前記支持アームは，前記ヒンジと対向する方向の踏み板の一端にて回転可能となるように接合されるとともに前記接合される部分とは別の一端にストッパーを有しており，前記側壁面に前記ストッパーが滑動可能に収納されるとともに下端に前記ストッパーの係止部を有するガイドを備えたことを特徴とする折り畳み式の階段である。
【００１０】
開示する第４の発明は，第１から第３の発明に手すりの要素を付加したものであり，前記側壁面と接合している前記ヒンジと対向する方向の前記踏み板の一端において，前記ヒンジとは別のヒンジを介して一又は複数の前記踏み板と手すり部を接合し，前記踏み板を開くことで手すりが倒立することを特徴とする折り畳み式の階段である。
【００１１】
開示する第５の発明は，家屋内の側壁面に昇降用ステップを構成する複数の踏み板を，水平方向には相互に重ならないように，かつ，垂直方向には相互に段差を生ずるように配置してなるものであり，階段を利用しない時は，前記踏み板は，前記側壁面に脱離可能に長手方向を概略垂直として掛止又は嵌設されており，階段を利用する時は，脱離した前記踏み板を，長手方向を概略水平に嵌入するための溝を有する前記側壁面に，前記離脱した踏み板を嵌入することで前記昇降用ステップを構成することを特徴とする組み立て式の階段である。
【００１２】
開示する第６の発明は，第１から第５の発明に要素を付加したものであり，前記側壁面と相対峙する第二の側壁面上に前記踏み板の他端を支えるために設けた係止部とからなることを特徴とする折り畳み式又は組み立て式の階段である。
【発明の効果】
【００１３】
本発明によれば，昇降用ステップを構成する踏み板を家屋の側壁面に折り畳んでおき，又は脱離可能に掛止又は嵌設することで，階段として利用しない時は殆どスペースを取らず，また，利用する時は折り畳んだ踏み板を開き，又は踏み板を側壁面から脱離し組み立てることにより簡単に階段を構成することができる。
【発明を実施するための最良の形態】
【００１４】
以下，本発明の実施形態を，図面を参照しつつ，説明する。
【００１５】
（実施例１）
図１は，折り畳み式の階段の概要を示すものである。家屋内の側壁面１に昇降用ステップ２を構成するために，側壁面１に踏み板３を複数片持ち梁状に設置する（踏み板３ｃは，側壁面１の方向に折り畳んだ状態のものが点線で，それを開いたの状態のものが実線で表されている）。ここで，踏み板３は，水平方向には相互に重ならないように（踏み板３を折り畳んだ状態から開くときに，隣り合った踏み板３同士が互いに接触しないようにするために），かつ，垂直方向には相互に段差を生ずるように配置される。
【００１６】
踏み板３はその一端にてヒンジ４にて側壁面１に設置される。踏み板３には人の全体重が荷重としてかかることから，相応の強固な材質および厚みを必要とし，また，人が通ることから，人の横幅を勘案し，長手方向は７０〜８０ｃｍ程度の長さは必要となる。ヒンジ４にも人の全体重が荷重としてかかることから，大型で頑丈なものとする必要がある。図２は，踏み板３の水平方向からの概要図である。図２の（ａ）及び（ｃ）は踏み板３を折り畳んだ時に側壁面１の表面上に出ているもの（フラットな側壁面１に踏み板３を取り付けたもの）であり，図２の（ｂ）及び（ｄ）は，側壁面１に踏み板３を収納できる収納スペース（窪み）５を設け，踏み板３をこの収納スペース５に折り畳むことで，側壁面１に生じる折り畳み式の階段の凸部をなるべく少なくすることができる。
【００１７】
また，ヒンジ４の取り付け方法も，図２の（ａ）及び（ｂ）のタイプと，図２の（ｃ）及び（ｄ）のタイプがある。前者の方が，側壁面１及び踏み板３との接合面を広く取ることができ，必要なヒンジの強度を得やすいが，後者の方がよりすっきりとした構成にすることができる。なお，図２において，踏み板３は，側壁面１の方向に折り畳んだ状態のものが実線で，それを開いたの状態のものが点線で表されている。
【００１８】
この折り畳み式の階段を設置するのは，家庭用エレベータを設置した家屋が想定される。つまり，上下階の昇降は，専らエレベータによりおこなうこととし，スペースの有効利用のため常設の階段の設置を省略した場合が典型的な設置例と考えられる。災害などによりエレベータが故障し，又は，停電で稼動できなくなった場合に，この折り畳み式の階段を備えていれば，上階に居た者も，１階まで自力で降りて避難することができる。
【００１９】
上階に居る者がこの階段を使用して下階に降りるには，例えば，図３に示すように，２階床板１０２の廊下部分の一部が扉１０３となっており，この扉１０３を開き，１階２階とつながる人間が通り得る大きさの孔を確保する（図３において，扉１０３は閉じた状態を実線で，開いた状態を点線で表している）。そして，この孔から一階の側壁面に設置された折り畳み式の階段の踏み板３を上の踏み板３ａから順次開いていけば，１階まで通じる昇降用ステップ２を構成し，降りることができる。扉１０３は廊下に設ける必然性はなく，２階の部屋の中に設けてもよい。また，上部に設置した踏み板３の幾つかが１階の天井と接触しないように，踏み板３の折り畳み方向を，上方にではなく，下方にすることや，下方に折り畳んだ踏み板３を上に引き開くのに，踏み板３の一端に紐を取り付けることもあり得る。
【００２０】
また，図４のように，上下階吹き抜けの部分（戸建の家屋では，玄関部分によくみられる構造である）１０５の側壁面１に折り畳み式の階段を設け，この上下階吹き抜け部分１０５に面する開閉可能な手すり１０６を開いて，折り畳み式の階段の踏み板３を上から順次開いて行き，昇降用ステップ２を構成し，１階まで降りることができる。この場合，手すり１０６以外に，通常の扉としてもよい。なお，図４において，扉１０６は閉じた状態を実線で，開いた状態を点線で表されている。
【００２１】
（実施例２）
実施例１の階段は，ヒンジ４のみが可動部であり，構成としては単純であるが，片持ち梁構造であることから，ヒンジ４の強度を相当大きなものとする必要がある。そのため，踏み板３を支持するアームを設け，ヒンジ４以外にも踏み板３を支持するような構成にすることもあり得る。
【００２２】
このアームによる補強は２種類考えられる。
その第１は，図５に示すものである。踏み板３には，支持アーム６と内部が溝状のガイド７を備える。このガイド７は，踏み板３の強度を補強する役目も負わせることができる。支持アーム６はその一端にストッパー８を有しており，ストッパー８はガイド７の溝中に滑動可能に収納されるとともにヒンジ４と対向する方向の一端にストッパー８の係止部９を備える。さらに，側壁面１に設置された支持部１０にて支持アーム６の他の一端を回動可能となるように接合される。また，支持アーム６やガイド７は複数であってもかまわない（複数の方が強度を得やすく，また，踏み板３を薄いものとすることができる）。なお，図５（ａ）の点線部分は，踏み板３を開いた状態のものである。
【００２３】
このような構成とすることにより，ストッパー８がガイド７の溝中を滑動することにより踏み板３の上下動で支持アーム６が可動し，踏み板３を水平にしたときに，ストッパー８が係止部９により停止し，強度が増した安定な階段（を構成する踏み板３）とすることができる。
【００２４】
アームによる補強の第２は，図６に示すものであり，ガイド７を，第１の補強では踏み板３に取り付けたの対して，第２の補強では側壁面１に取り付けることで相違する。
【００２５】
つまり，支持アーム６は，ヒンジ４と対向する方向の踏み板３の一端にて回転可能となるように踏み板３と接合部１１で接合され，支持アーム６の他の一端にはストッパー８を備えている。側壁面１にはガイド７が備えられ，このガイド７にはストッパー８が滑動可能に収納されるとともにガイド７の下端にはストッパー８の係止部９を有している。
ここで，支持アーム６がヒンジ４をかわすためには，支持アーム６を直線状ではなく外側（側壁面１から離れる側）に膨らませた形状にすることや，接合部１１をやや大き目な形状にするなど諸策ある。ちなみに，図６（ａ）では，外側に「く」の字状に膨らませた場合であり，また，点線部分は，踏み板３を開いた状態のものである。
【００２６】
このような構成とすることにより，ストッパー８がガイド７の溝中を滑動することで踏み板３の上下動で支持アーム６が可動し，踏み板３を水平にしたときに，ストッパー８が係止部９で停止し，強度が増した安定な階段（を構成する踏み板３）とすることができる。
【００２７】
（実施例３）
老人などが２階から１階に安全に降りられるようにするには，手すりを設けた方がよい場合もある。手すりの設置は，側壁面１に，折り畳み式の階段とは別に独立に設ける方法もあるが，この実施例３は，折り畳み式階段に手すりの要素を付加したものである。
【００２８】
つまり，図７（ａ）に示すように，踏み板３を側壁面１と接合するヒンジ４と対向する方向の踏み板３の一端にて，複数の（図７ではａ列，ｂ列及びｃ列の３つの）前記踏み板と別のヒンジ１０７を介して個々に手すり側板１０８と接合させ，複数の（図７ではａ列，ｂ列及びｃ列の３つの）手すり側板１０８の上端にまたがって形成される手すり本体１０９とからなる折り畳み式の階段である。
【００２９】
この折り畳み式の階段では，折り畳まれ，略垂直状態となっている踏み板３を開いて略水平状態と擦る際に，一つの動作で複数の（図７ではａ列，ｂ列及びｃ列の３つの）踏み板３を一度に開くことができるという特性も併せ持つ。開いた状態が図７（ｂ）であり，この図７（ｂ）を同図に示すＡ方向から見た図が図７（ｃ）である（なお，図７（ｃ）の符号の末尾のａ，ｂ及びｃはそれぞれａ列，ｂ列及びｃ列に対応することを示すものである）。物理的には折り畳み式の階段を構成する全踏み板３にまたがって，この手すりを取り付けることも可能であるが，踏み板３を動かすには相応の腕力を要することから，老人や子供の腕力でも可動可能なように，２乃至３個の踏み板３にまたがった手すり本体１０９を設けるのが適当である。
【００３０】
また，手すり側板２を用いない形態として，図８（ａ）がある。つまり，ヒンジ１０７にて，（図８における例示においてはａ列，ｂ列及びｃ列の３つの）側材１０８と本体１０９が一体化された手すり１１０と接合し，踏み板３を開くことで図８（ｂ）に示す階段を形成できる。図８（ｂ）には，人１１１も記載しており，これにより，折り畳み式の階段との関係を具体的なイメージを示している。
【００３１】
（実施例４）
実施例１は，ヒンジ４を用いるものであり，その機械強度が得られない場合等には，支持アーム６を用いた実施例２がある。しかし，実施例４は，これらのメカニカルな支持機構を用いないものである。
これは図９に示すように，収納スペース５に昇降用ステップ２を構成する踏み板３を脱離可能なように長手方向を概略垂直として嵌設されており（図示しないが，収納スペース５を設けず，側壁面１に懸け金具を，踏み板３に孔等をそれぞれ設け，この金具に踏み板３を掛止してもよい），階段を利用する時は，踏み板３を収納スペース５より脱離し，側壁面１に設けられた溝１２に踏み板３の長手方向を概略水平に嵌入することで，昇降用ステップ２を構成するものである。
【００３２】
実施例４は，階段を組み立てる手間を必要とするが，メカニカルな部分がなく，コスト的にも安く作れ，また，保守費用が殆どかからないという利点を有する。
【００３３】
（実施例５）
この実施例は，これまで説明した実施例１から４に共通して適用できるものである。つまり，実施例１から４はいずれも踏み板３が片持ち梁の形態で側壁面１と接合されていたものであったが，実施例５は，図１０に示すように，側壁面１と相対峙する第二の側壁面１３に踏み板３の他端を支えるための係止部１４を設け，踏み板の両端にて支持する構造のものである。
【００３４】
図１０（ａ）は実施例１（側壁面１への接合方法は図２（ａ）に相当する）での例であり，踏み板３を折り畳んだ略垂直状態から略水平状態に開く途中で，第二の側壁面１３と接触しないようにするため，踏み板３の係止部１４に置く方の一端を傾斜させるか，または，係止部１４の幅を少し長めにする必要がある。
【００３５】
図１０（ｂ）は実施例４（図９に相当）での例である。なお，この場合，溝１２を側壁面１に新たに設ける必要はなく，収納スペース５にて代用することが可能である（図１０（ｂ）は収納スペース５を代用したものである）。
【図面の簡単な説明】
【００３６】
【図１】折り畳み式の階段の概要（昇降用ステップ２を構成する踏み板３の折り畳み状態等）を示す状態図である。
【図２】側壁面１，踏み板３及びヒンジ４の構成並びに折り畳み機能について４つの例示をした側面の状態図である。
【図３】実際の家屋内で２階床板１０２に扉１０３を設け，これによる孔により人を通り抜けさせる例の側面図である。
【図４】１階２階の吹き抜け部分１０５の側壁面１に折り畳み式の階段を設けた例の側面図である。
【図５】開示した第２の発明（アームを使用したもの）に係る実施例２の概略図である。（ａ）は側面図，（ｂ）は正面図である。
【図６】開示した第３の発明（アームを使用したもので，第２の発明とはアーム６の取り付けが逆になるもの）に係る実施例２の概略図である。（ａ）は側面図，（ｂ）は正面図である。
【図７】開示した第４の発明（手すり付きのもの）に係る実施例３の概略図である。（ａ）と（ｂ）は側面図，（ｃ）は（ｂ）の（ｂ）に示すＡ方向からの正面図である。
【図８】開示した第４の発明（手すり付きのもので，手すり側板と手すり本体が一体化しているもの）に係る実施例３の概略図（側面図）である。
【図９】開示した第５の発明に係る実施例４の概略図である。（ａ）は側面図，（ｂ）は正面図である。
【図１０】開示した第６の発明に係る実施例５の概略図である。（ａ）は図２（ａ）の場合の側面図，（ｂ）は図９（ａ）の簡易化した場合の側面図である。
【符号の説明】
【００３７】
１００  エレベータ本体
１０１  エレベータ開口部
１０４  部屋のドア
【図１】
2009235816.tif 000003
【図２】
2009235816.tif 000004
【図３】
2009235816.tif 000005
【図４】
2009235816.tif 000006
【図５】
2009235816.tif 000007
【図６】
2009235816.tif 000008
【図７】
2009235816.tif 000009
【図８】
2009235816.tif 000010
【図９】
2009235816.tif 000011
【図１０】
2009235816.tif 000012